(57)【特許請求の範囲】
【請求項１】
外気側から内容物側に向かって順に、樹脂層（１３）、接着剤層（１４）、織物及び不織布の何れかの層（１５）、接着剤層（１６）、金属蒸着層（１７）、プラスチックフィルム層（１８）の少なくとも６層からなるシートにおいて、
前記樹脂層は、発泡ポリウレタン樹脂及び発泡ポリオレフィン樹脂の何れかからなり、ポリ塩化ビニルを使用しないこと、
前記金属蒸着層は、アルミニウム蒸着及びスズ蒸着の何れかからなること、
前記プラスチックフィルム層は、ポリエステルフィルム及びポリウレタンフイルムの何れかからなること、
を特徴とする定温・遮光輸送用シート（Ｓ３）。
【請求項２】
前記樹脂層はさらに酸化チタンを含有する請求項１記載のシート。
【発明の詳細な説明】
【０００１】
【発明の属する技術分野】
本発明は定温・遮光輸送用シートに関する。特に、温度や日光に敏感な商品（例えば、ビールその他のアルコール飲料、清涼飲料水、生鮮食料品など）をトラックの荷台で輸送するときに、外気温や日光の影響を避けるため、これらの商品を覆うのに使用するシートに関する。
【０００２】
【従来の技術】
トラックの荷台に帆布をかけて、直射日光を避けたり、積み荷の荷崩れを防いだりするのは昔から行なわれていることである。しかし、そういう帆布とは質的に異なる、上記したようなタイプの定温・遮光輸送用シートが登場したのは比較的最近のことであり、公開特許公報もまだ出現していないようである。現在、市販されているものは、詳細は不明であるが、酸化チタン含有ポリ塩化ビニル樹脂層、帆布、ポリエステルフィルム、アルミ蒸着層などを積層した構造となっている。
【０００３】
【発明が解決しようとする課題】
上記従来技術のシートはポリ塩化ビニル樹脂層を有するため、耐久年数経過後、焼却処分しようとすると有害なダイオキシンを生じさせる可能性がある。これは、環境衛生の見地から好ましいものではない。そこで、本発明では、ポリ塩化ビニル樹脂層を排して別の材料で代替させると共に、定温・遮光効果において従来技術と同等またはそれ以上の効果をもたらすシートを提供することを目的とする。
【０００４】
【課題を解決するための手段】
本発明の定温・遮光輸送用シートは、外気側から内容物側に向かって順に、樹脂層、接着剤層、織物及び不織布の何れかの層、接着剤層、金属蒸着層、プラスチックフィルム層の少なくとも６層からなるシートにおいて、 前記樹脂層は、発泡ポリウレタン樹脂及び発泡ポリオレフィン樹脂の何れかからなり、ポリ塩化ビニルを使用しないこと、前記金属蒸着層は、アルミニウム蒸着及びスズ蒸着の何れかからなること、前記プラスチックフィルム層は、ポリエステルフィルム及びポリウレタンフイルムの何れかからなること、を特徴とする。前記樹脂層にはさらに酸化チタンを含有させるのが好ましい。
【０００５】
【発明の実施態様と実施例・参考例】
以下、添付の図面に基づき、本発明の実施態様と実施例・参考例を説明する。
図１は第１参考例を含む定温・遮光シートＳ１であり、６層からなる。上（外気側）から下（荷台上の内容物側）に向かって順に、ポリオレフィン樹脂層１、織物層２、金属蒸着層３、プラスチックフィルム層４、織物層５、ポリオレフィン発泡樹脂又はマイクロバルーン含有樹脂層６からなる。
【０００６】
第１層のポリオレフィン樹脂１としては、例えば、ポリエチレン、プリプロピレンを使用することができる。このポリオレフィン樹脂１には酸化チタンを含有させるのが好ましい。酸化チタンは少なくとも１０重量％含有させる。
【０００７】
第２層の織物層２は、強靭で耐久性のあるものであればどのようなものでもよく、例えばスパン糸織物を使用することができる。
【０００８】
第３層の金属蒸着層３は、アルミニウムまたはスズ蒸着層とするのが好ましい。
【０００９】
第４層のプラスチックフィルム層４はポリエステルまたはポリウレタンフィルムが好ましい。ポリエステルフィルム層の場合の厚みは１０〜１５μｍ程度、ポリウレタンフイルム層の場合は、１０〜３５０μｍ程度が好ましい。
【００１０】
第５層の織物層５は第２層と同様である。
【００１１】
第６層のポリオレフィン樹脂層６は発泡樹脂又はマイクロバルーン含有樹脂である。発泡樹脂の場合においては、発泡剤・添加剤・助剤として、それ自体公知の物質を使用することができる。マイクロバルーンは、例えば、ガラスバルーン、シリカバルーン、アルミナバルーン、ジルコニアバルーンなどを使用することができ、特に、英国フィライト(Fillite)社製の直径５〜３００μｍの、アルミノシリケート系マイクロバルーンを１〜１０部添加するのが好ましい。樹脂層の厚みは５０〜４００μｍ程度が好ましい。
【００１２】
＜第１参考例＞
第１層（ポリオレフィン樹脂層１）
＊ 下記成分を有する８０〜３５０μｍのポリエチレン樹脂層
(1)エクセレンＶＬ−１００ １００部 ［住友化学（株）製のポリエチレン］
(2)Ｐｕ５００Ｃ ０．５部 ［勝田加工（株）製の加工助剤］
(3)ＴＰＥ１００Ｓ ０．５部 ［勝田加工（株）製の加工助剤］
(4)酸化チタン １０部
第２層（織物層２）
＊ スパン糸織物
第３層（金属蒸着層３）
＊ アルミニウム蒸着層
第４層（プラスチックフィルム層４）
＊ １２μｍのポリエステルフィルム
第５層（織物層５）
＊ 第２層と同じ
第６層（ポリオレフィン樹脂層６）
＊ 下記成分を有する８０〜３５０μｍのポリエチレン発泡樹脂層又はマイクロバルーン含有樹脂層
(1)タフマ−４３０ １００部 ［三井化学（株）製のポリエチレン］
(2)Ｓ−７４０ ３部 ［永和化成（株）製の発泡剤］
(3)ＳＰ−１００Ｚ（Ｂ） １部 ［栄伸化成（株）製の発泡助剤］
(4)ＡＢＣ−１Ｊ ０．５部 ［勝田加工（株）製の発泡助剤］
(5)酸化チタン １０部
(6)フィライト １０部 ［英国フィライト(Fillite)社製の直径５〜３００μｍの、アルミノシリケート系マイクロバルーン］
【００１３】
図２は第２参考例を含む定温・遮光シートＳ２であり、６層からなる。上（外気側）から下（内容物側）に向かって順に、ポリオレフィン樹脂層７、織物層８、金属蒸着層９、プラスチックフィルム層１０、不織布層１１、ポリオレフィン発泡樹脂又はマイクロバルーン含有樹脂層１２からなる。第１参考例の第５層の織物層を不織布１１で置き換えたものである。
【００１４】
＜参考例２＞
第１層（ポリオレフィン樹脂層７）
＊ 参考例１と同様
第２層（織物層８）
＊ 参考例１と同様
第３層（金属蒸着層９）
＊スズ蒸着層
第４層（プラスチックフィルム層１０）
＊参考例１と同様
第５層（不織布層１１）
＊不織布
第６層（ポリオレフィン発泡樹脂又はマイクロバルーン含有樹脂層１２）
＊ 参考例１と同様
【００１５】
図３は第１実施例を含む定温・遮光シートＳ３であり、接着剤層も含めれば６層からなる。上（外気側）から下（内容物側）に向かって順に、ポリウレタン樹脂層１３、接着剤層１４、織物層１５、接着剤層１６、金属蒸着層１７、プラスチックフィルム層１８からなる。
【００１６】
＜第１実施例＞
第１層（ポリウレタン樹脂層１３）
＊ 下記成分を有する５−５０μｍのポリウレタン樹脂層
(1)ラックスキン２６２２ １００部 ［セイコー化成（株）のポリウエレタン］
(2)顔料 １０部
第２層（接着剤層１４）
＊ 下記成分を有する５−５０μｍの接着剤層
(3)ＴＵ１０１ １００部 ［日本ポリウレタン（株）のウレタン接着剤］
(4)架橋剤 ４部
第３層（織物層１５）
＊ スパン糸織物層
第４層（接着剤層１６）
＊ 下記成分を有する５−５０μｍの接着剤層
(1)ＴＵ１０１ １００部 ［日本ポリウレタン（株）のウレタン接着剤］
(2)架橋剤 ４部
第５層（金属蒸着層１７）
＊ アルミニウム蒸着層
第６層（プラスチックフィルム層１８）
＊ 下記成分を有する５−５０μｍのポリウレタンフィルム層
(1)ラックスキン２６２２ １００部 ［セイコー化成（株）のポリウレタン］
【００１７】
図４は第３参考例を含む定温・遮光シートＳ４であり、接着剤層も含めれば８層からなる。上（外気側）から下（内容物側）に向かって順に、ポリウレタン樹脂層１９、接着剤層２０、織物層２１、金属蒸着層２２、プラスチックフィルム層２３、不織布層又は発泡体層２４、接着剤層２５、ポリウレタン層２６からなる。
【００１８】
＜第３参考例＞
第１層（ポリウレタン樹脂層１９）
＊ 下記成分を有する５−５０μｍのポリウレタン樹脂層
(1)ラックスキン２６２２ １００部 ［セイコー化成（株）のポリウレタン］
第２層（接着剤層２０）
＊ 下記成分を有する５−５０μｍの接着剤層
(1)ＴＵ１０１ １００部 ［日本ポリウレタン（株）のウレタン接着剤］
(2)架橋剤 ４部
第３層（織物層２１）
＊ スパン糸織物層
第４層（金属蒸着層２２）
＊ スズ蒸着層
第５層（プラスチックフィルム層２３）
＊ ポリエステルフィルム層 １２μｍ
第６層（不織布層又は発泡体層２４）
＊ 下記成分を有する５−５０μｍの不織布層
(1)ポリエステル不織布 １００ｇ／ｍ2［東レ（株）］
第７層（接着剤層２５）
＊ 下記成分を有する５−５０μｍの接着剤層
(1)ＴＵ１０１ １００部 ［日本ポリウレタン（株）のウレタン接着剤］
(2)架橋剤 ４部
第８層（ポリウレタン層２６）
＊ 下記成分を有する５−５０μｍのポリウレタン層
(1)ラックスキン２６２２ １００部 ［セイコー化成（株）のポレウレタン］
【００１９】
【発明の効果】
効果確認試験によれば、本願発明の製品は市販の製品と比較して遜色はなかった。各実施例の中では、第２参考例のシートが最良で、第１、第３参考例がそれに続き、第１実施例が４つの中ではもっとも劣っていた。 本発明は、定温・遮光性能において、従来技術に勝るとも劣ることはなく、しかもポリ塩化ビニル樹脂層を有しないため、焼却処分時に有害なダイオキシンを生じさせない。
【図面の簡単な説明】
【図１】本発明第１参考例に係る定温・遮光シートＳ１の断面図である。
【図２】本発明第２参考例に係る定温・遮光シートＳ２の断面図である。
【図３】本発明第１実施例に係る定温・遮光シートＳ３の断面図である。
【図４】本発明第３参考例に係る定温・遮光シートＳ４の断面図である。
【符号の説明】
１，６；７，１２；１３；１９，２６ 樹脂層
４；１０；１８；２３ プラスチックフィルム層
３；９；１７；２２ 金属蒸着層
【図１】
0004294125.tif 000002
【図２】
0004294125.tif 000003
【図３】
0004294125.tif 000004
【図４】
0004294125.tif 000005